(57)【要約】【課題】プリズムブロックの位置の調整を容易に行うことができるプリズムブロック調整装置及びこれを備えた液晶プロジェクタを提供する。【解決手段】プリズムブロックの位置を調整するためのプリズムブロック調整装置は、プリズムブロックが載置される台座６と、台座６が間隙をもって嵌め込まれるとともに、台座６を支持する支持部材５と、台座６と支持部材５との間隙に設けられて、台座６を支持部材５に向けて押さえつける板ばね７とを備えている。さらに、プリズムブロック調整装置は、支持部材５に螺合されるとともに、支持部材５から台座６に向けて突出するおねじ部材８１，８２を備えており、板ばね７によって押さえつけられる力に抗して、おねじ部材８１，８２が台座６を押す。【選択図】図１８
2011017870.tif 000002
【特許請求の範囲】
【請求項１】
プリズムブロックの位置を調整するためのプリズムブロック調整装置であって、
前記プリズムブロックが載置される台座と、
前記台座が間隙をもって嵌め込まれるとともに、前記台座を支持する支持部材と、
前記台座と前記支持部材との前記間隙に設けられて、前記台座を前記支持部材に向けて押さえつける弾性部材と、
前記支持部材に螺合されるとともに、前記支持部材から前記台座に向けて突出する螺合部材とを備え、
前記弾性部材によって押さえつけられる力に抗して、前記螺合部材が前記台座を押す
ことを特徴とするプリズムブロック調整装置。
【請求項２】
前記支持部材には、前記螺合部材が挿通される貫通孔が形成され、
前記貫通孔にはめねじ部が設けられるとともに、前記螺合部材は、前記めねじ部に螺合するおねじ部材であることを特徴とする請求項１に記載のプリズムブロック調整装置。
【請求項３】
前記螺合部材として、前記プリズムブロックから光が出射される方向へ前記台座を押す螺合部材を備えることを特徴とする請求項１または請求項２に記載のプリズムブロック調整装置。
【請求項４】
前記プリズムブロックから光が出射される方向に直交する第１の方向において、複数の前記螺合部材が設けられていることを特徴とする請求項３に記載のプリズムブロック調整装置。
【請求項５】
前記台座は、前記プリズムブロックから光が出射される方向に延びる側面を有しており、
前記台座には、前記側面の一部を前記支持部材に向けて突出させて形成された突出部が設けられ、前記突出部が前記側面と対向する前記支持部材に接触することを特徴とする請求項３または請求項４に記載のプリズムブロック調整装置。
【請求項６】
前記台座は、前記螺合部材と対向する背面を有し、
前記台座には、前記背面の一部であって前記螺合部材により押される部分が、前記背面のその他の部分に比べて膨らんでいる膨出部が設けられていることを特徴とする請求項３乃至請求項５のいずれか一項に記載のプリズムブロック調整装置。
【請求項７】
前記支持部材には、前記膨出部に対向する開口部が設けられ、この開口部に向けて前記膨出部が膨らんでいることを特徴とする請求項６に記載のプリズムブロック調整装置。
【請求項８】
前記台座には、前記支持部材によって支持される軸部が設けられており、
前記螺合部材として、前記軸部を支点として回動するように前記台座を押す台座回動用螺合部材を備えることを特徴とする請求項１及び請求項７のいずれか一項に記載のプリズムブロック調整装置。
【請求項９】
前記軸部は、前記プリズムブロックから光が出射される方向に直交する第１の方向に延びていることを特徴とする請求項８に記載のプリズムブロック調整装置。
【請求項１０】
前記支持部材には、前記軸部を支持する平らな支持面が形成されており、
前記軸部は、前記支持面に沿って前記プリズムブロックから光が出射される方向に摺動可能であることを特徴とする請求項８または請求項９に記載のプリズムブロック調整装置。
【請求項１１】
前記支持面において、前記台座を支持する前記支持部材は前記軸部のみと接触することを特徴とする請求項１０に記載のプリズムブロック調整装置。
【請求項１２】
前記支持部材は、前記台座が間隙をもって嵌め込まれる枠部を有しており、
前記枠部には、前記軸部が嵌め込まれる切り欠きと、この切り欠きに嵌め込まれた前記軸部を保持する保持部とが設けられていることを特徴とする請求項８乃至請求項１１のいずれか一項に記載のプリズムブロック調整装置。
【請求項１３】
前記弾性部材は、板ばねであることを特徴とする請求項１乃至請求項１２のいずれか一項に記載のプリズムブロック調整装置。
【請求項１４】
前記板ばねは、互いに直交する３方向において前記台座を前記支持部材に向けて押さえつける単一の部材により形成されていることを特徴とする請求項１３に記載のプリズムブロック調整装置。
【請求項１５】
前記台座は、載置される前記プリズムブロックと対向する上面を有し、
前記台座には、前記上面に平行な方向への前記プリズムブロックの移動を規制するために、前記プリズムブロックの一部と係合する係合部が設けられていることを特徴とする請求項１乃至請求項１４のいずれか一項に記載のプリズムブロック調整装置。
【請求項１６】
前記プリズムブロックを前記台座に固定するための固定用螺合部材をさらに備えることを特徴とする請求項１乃至請求項１５のいずれか一項に記載のプリズムブロック調整装置。
【請求項１７】
前記固定用螺合部材が、前記プリズムブロックに対して螺合されるおねじであることを特徴とする請求項１６に記載のプリズムブロック調整装置。
【請求項１８】
前記台座は、前記プリズムブロックを支持する複数のプリズムブロック支持面を有し、
前記台座に載置される前記プリズムブロックは、前記複数のプリズムブロック支持面上に載置されることを特徴とする請求項１乃至請求項１７のいずれか一項に記載のプリズムブロック調整装置。
【請求項１９】
請求項１乃至請求項１８のいずれか一項に記載のプリズムブロック調整装置を備えることを特徴とする液晶プロジェクタ。
【請求項２０】
前記プリズムブロックから出射される光を投射して映像を表示するための投写レンズを備え、
前記支持部材は、前記投写レンズを支持する部材と一体的に形成されていることを特徴とする請求項１９に記載の液晶プロジェクタ。
【発明の詳細な説明】
【技術分野】
【０００１】
本願発明は、プリズムブロックの位置を調整するためのプリズムブロック調整装置、及びこれを備えた液晶プロジェクタに関するものである。
【背景技術】
【０００２】
一般に、液晶プロジェクタにおいて、光の３原色に対応する３つの液晶パネルを透過した光を、クロスダイクロイックプリズムによって合成することが知られている。そして、投写型映像表示装置である液晶プロジェクタは、クロスダイクロイックプリズムによって合成された光を投射することにより、映像を投写して表示する構成となっている。
【０００３】
また、液晶プロジェクタの組み立て及び製造においては、光学性能の確保のために、クロスダイクロイックプリズムにより合成された光を投射する投写レンズと、液晶パネルとを精密な位置合わせを行った上で、それらを固定することが求められる。
【０００４】
複数の液晶パネルの位置を個別に調整できるように構成されている場合には、位置を調整するための機構の構成部品が多くなって重量の増加やコストアップの要因となり、また、各液晶パネルを個別に調整して光学性能を確保するためには熟練を要する等の不都合がある。
【０００５】
そこで、各液晶パネルがクロスダイクロイックプリズムと一体化したプリズムブロックを用いて、投写レンズと位置合わせを行うことが知られている。この場合、投写レンズと液晶パネルとの位置合わせを行う際に、プリズムブロックに比べて重い投写レンズの位置を調整すると、投写レンズの重量等に起因して、バックフォーカスがずれたりフレアが発生したりして光学性能が低下するという問題がある。そのため、投写レンズと液晶パネルとの位置合わせを行う際には、投写レンズを固定した状態でプリズムブロックの位置を調整することが好ましい。また、投写レンズから投射された光を反射する反射ミラーを備えた液晶プロジェクタにおいても、反射ミラーを備えていない投写レンズを仮固定した状態で、プリズムブロックの位置を調整して、投写レンズと液晶パネルとの位置合わせを行うことが好ましい。
【０００６】
プリズムブロックの位置を調整可能な機構を有する装置としては、投写レンズの基端部分に取り付けられる支持構造本体及びクロスダイクロイックプリズム（色合成光学装置）に固定される台座の間で、クロスダイクロイックプリズムの四隅位置近傍に配置されたスペーサを備える光学装置が開示されている（例えば、特許文献１参照）。
【先行技術文献】
【特許文献】
【０００７】
【特許文献１】特開２００６−９１８４２号公報
【発明の概要】
【発明が解決しようとする課題】
【０００８】
しかしながら、上記特許文献１に記載されるように、支持構造本体と台座の間にスペーサを設けただけの構成では、クロスダイクロイックプリズムの位置を調整した後に、接着剤によりスペーサを支持構造本体及び台座に固定する必要がある。このため、接着剤を硬化させた後にクロスダイクロイックプリズムの位置を再調整するためには接着剤を除去する必要がある。また、クロスダイクロイックプリズムの位置を調整している際は接着剤の硬化前であるため、プリズムブロック（電気光学装置）を保持するための装置が必要になる。このため、特許文献１に記載されるように電気光学装置保持部を備える位置調整ユニットといった大掛かりな装置を用いる必要がある。従って、プリズムブロックの位置の調整を容易に行うことができないという問題があった。
【０００９】
本発明は、こうした実情に鑑みてなされたものであり、その目的は、プリズムブロックの位置の調整を容易に行うことができるプリズムブロック調整装置及びこれを備えた液晶プロジェクタを提供することにある。
【課題を解決するための手段】
【００１０】
以下、上記目的を達成するための手段及びその作用効果について記載する。
請求項１に記載の発明は、プリズムブロックの位置を調整するためのプリズムブロック調整装置であって、プリズムブロックが載置される台座と、台座が間隙をもって嵌め込まれるとともに、台座を支持する支持部材と、台座と支持部材との間隙に設けられて、台座を支持部材に向けて押さえつける弾性部材と、支持部材に螺合されるとともに、支持部材から台座に向けて突出する螺合部材とを備え、弾性部材によって押さえつけられる力に抗して、螺合部材が台座を押すことを特徴とする。
【００１１】
同構成によれば、弾性部材により押さえつけられる力に抗して、螺合部材が台座を押すため、螺合部材をプリズムブロックの位置を調整する調整部材として使用することができる。即ち、螺合部材を用いて台座を押すことにより、台座の位置を調整して、台座に載置されるプリズムブロックの位置を調整することができる。そして、プリズムブロックが載置される台座は、弾性部材及び螺合部材により固定することができる。即ち、弾性部材及び螺合部材によって台座にはたらく力が釣り合うことにより、プリズムブロックが載置される台座が静止するため、台座に載置されるプリズムブロックが動かないように固定することができる。また、螺合部材を回転させて螺合部材が支持部材から台座に向けて突出する量を調整することにより、台座の位置を調整することができるため、プリズムブロックの位置の調整を容易に行うことができる。
【００１２】
請求項２に記載の発明は、請求項１に記載のプリズムブロック調整装置であって、支持部材には、螺合部材が挿通される貫通孔が形成され、貫通孔にはめねじ部が設けられるとともに、螺合部材は、めねじ部に螺合するおねじ部材であることを特徴とする。
【００１３】
同構成によれば、螺合部材は、支持部材に形成された貫通孔のめねじ部に螺合するおねじ部材であるため、おねじ部材を、支持部材の外部から貫通孔に挿通させて、支持部材から台座に向けて突出させることができる。
【００１４】
請求項３に記載の発明は、請求項１または請求項２に記載のプリズムブロック調整装置であって、螺合部材として、プリズムブロックから光が出射される方向へ台座を押す螺合部材を備えることを特徴とする。
【００１５】
同構成によれば、プリズムブロックから光が出射される方向へ台座を押す螺合部材を備えるため、螺合部材が支持部材から台座に向けて突出する量を大きくすることにより、プリズムブロックが載置される台座を、プリズムブロックから光が出射される方向に移動させることが可能となる。
【００１６】
請求項４に記載の発明は、請求項３に記載のプリズムブロック調整装置であって、プリズムブロックから光が出射される方向に直交する第１の方向において、複数の螺合部材が設けられていることを特徴とする。
【００１７】
同構成によれば、プリズムブロックから光が出射される方向に直交する第１の方向（例えば、プリズムブロックから光が出射される方向に直交する左右方向）において、プリズムブロックから光が出射される方向へ台座を押す螺合部材が複数設けられている。このため、複数の螺合部材が支持部材から台座に向けて突出する量の各々を大きくすることにより、プリズムブロックが載置される台座を、プリズムブロックから光が出射される方向に移動させることができる。また、複数の螺合部材のうち、所定の螺合部材が支持部材から台座に向けて突出する量を調整することにより、プリズムブロックから光が出射される方向に直交する軸（例えば、プリズムブロックから光が出射される方向に直交する上下方向に平行な軸）を中心に台座を回動させることができる。具体的には、プリズムブロックから光が出射される方向と、この方向に直交する第１の方向とを含む平面において、台座を回動させることができる。このため、台座に載置されるプリズムブロックの、第１の方向のあおり角度を調整することができる。
【００１８】
請求項５に記載の発明は、請求項３または請求項４に記載のプリズムブロック調整装置であって、台座は、プリズムブロックから光が出射される方向に延びる側面を有しており、台座には、側面の一部を支持部材に向けて突出させて形成された突出部が設けられ、突出部が側面と対向する支持部材に接触することを特徴とする。
【００１９】
同構成によれば、プリズムブロックから光が出射される方向に延びる側面の一部を、支持部材に向けて突出させて形成された突出部が、側面と対向する支持部材に接触する。このため、突出部を支点として、プリズムブロックから光が出射される方向に直交する軸（例えば、プリズムブロックから光が出射される方向に直交する上下方向に平行な軸）を中心に台座を容易に回動させることができる。
【００２０】
請求項６に記載の発明は、請求項３乃至請求項５のいずれか一項に記載のプリズムブロック調整装置であって、台座は、螺合部材と対向する背面を有し、台座には、背面の一部であって螺合部材により押される部分が、背面のその他の部分に比べて膨らんでいる膨出部が設けられていることを特徴とする。
【００２１】
同構成によれば、台座には、背面の一部であって螺合部材により押される部分が、背面のその他の部分に比べて膨らんでいる膨出部が設けられている。このため、台座の背面において、螺合部材により押される部分の面積を確保することができ、背面のその他の部分を薄くすることにより、台座の小型化を図ることができる。
【００２２】
請求項７に記載の発明は、請求項６に記載のプリズムブロック調整装置であって、支持部材には、膨出部に対向する開口部が設けられ、この開口部に向けて膨出部が膨らんでいることを特徴とする。
【００２３】
同構成によれば、支持部材には、膨出部に対向する開口部が設けられ、この開口部に向けて膨出部が膨らんでいるため、背面の一部が膨出部として形成されている場合であっても、膨出部と支持部材とが接触しないようにすることができる。
【００２４】
請求項８に記載の発明は、請求項１及び請求項７のいずれか一項に記載のプリズムブロック調整装置であって、台座には、支持部材によって支持される軸部が設けられており、螺合部材として、軸部を支点として回動するように台座を押す台座回動用螺合部材を備えることを特徴とする。
【００２５】
同構成によれば、支持部材の軸部を支点として回動するように台座を押す台座回動用螺合部材を備えるため、台座の回動の中心となる軸に直交する方向（例えば、プリズムブロックから光が出射される方向に直交する上下方向）において、台座に載置されるプリズムブロックから出射される光の角度を調整することができる。
【００２６】
請求項９に記載の発明は、請求項８に記載のプリズムブロック調整装置であって、軸部は、プリズムブロックから光が出射される方向に直交する第１の方向に延びていることを特徴とする。
【００２７】
同構成によれば、軸部は、プリズムブロックから光が出射される方向に直交する第１の方向（例えば、プリズムブロックから光が出射される方向に直交する左右方向）に延びているため、台座回動用螺合部材が支持部材から台座に向けて突出する量を調整することにより、第１の方向に平行な軸を中心に台座を回動させることができる。従って、台座に載置されるプリズムブロックの、第１の方向に直交する第２の方向（例えば、上下方向）のあおり角度を調整することができる。
【００２８】
請求項１０に記載の発明は、請求項８または請求項９に記載のプリズムブロック調整装置であって、支持部材には、軸部を支持する平らな支持面が形成されており、軸部は、支持面に沿ってプリズムブロックから光が出射される方向に摺動可能であることを特徴とする。
【００２９】
同構成によれば、プリズムブロックから光が出射される方向に摺動可能な軸部は、平らな支持面により支持されているため、プリズムブロックから光が出射される方向に台座を容易に移動させることができる。
【００３０】
請求項１１に記載の発明は、請求項１０に記載のプリズムブロック調整装置であって、支持面において、台座を支持する支持部材は軸部のみと接触することを特徴とする。
同構成によれば、支持面において、台座を支持する支持部材は軸部のみと接触するため、支持部材と台座との接触面積を小さくして、プリズムブロックから光が出射される方向に台座をさらに容易に移動させることができる。
【００３１】
請求項１２に記載の発明は、請求項８乃至請求項１１のいずれか一項に記載のプリズムブロック調整装置であって、支持部材は、台座が間隙をもって嵌め込まれる枠部を有しており、枠部には、軸部が嵌め込まれる切り欠きと、この切り欠きに嵌め込まれた軸部を保持する保持部とが設けられていることを特徴とする。
【００３２】
同構成によれば、支持部材の枠部には台座の軸部が嵌め込まれる切り欠きと、この切り欠きに嵌め込まれた軸部を保持する保持部が設けられているため、台座の軸部を支持部材に嵌めて保持することができる。
【００３３】
請求項１３に記載の発明は、請求項１乃至請求項１２のいずれか一項に記載のプリズムブロック調整装置であって、弾性部材は、板ばねであることを特徴とする。
同構成によれば、台座と支持部材との間隙に設けられる弾性部材は、板ばねであるため、台座と支持部材との間隙が小さな間隙であっても、台座を支持部材に向けて押さえつける弾性部材を容易に設けることができる。
【００３４】
請求項１４に記載の発明は、請求項１３に記載のプリズムブロック調整装置であって、板ばねは、互いに直交する３方向において台座を支持部材に向けて押さえつける単一の部材により形成されていることを特徴とする。
【００３５】
同構成によれば、板ばねは、互いに直交する３方向（例えば、前後方向及び上下方向及び左右方向）において台座を支持部材に向けて押さえつける単一の部材により形成されている。このため、３方向において台座を押さえつける弾性部材が単一の部材であるため、各方向に台座を押さえつける複数の弾性部材を備える場合に比べて、弾性部材の部品点数を少なくすることができる。
【００３６】
請求項１５に記載の発明は、請求項１乃至請求項１４のいずれか一項に記載のプリズムブロック調整装置であって、台座は、載置されるプリズムブロックと対向する上面を有し、台座には、上面に平行な方向へのプリズムブロックの移動を規制するために、プリズムブロックの一部と係合する係合部が設けられていることを特徴とする。
【００３７】
同構成によれば、台座には、上面に平行な方向へのプリズムブロックの移動を規制するために、プリズムブロックの一部と係合する係合部が設けられているため、台座に載置されたプリズムブロックの移動を規制することができる。従って、プリズムブロックを台座に仮固定することができる。
【００３８】
請求項１６に記載の発明は、請求項１乃至請求項１５のいずれか一項に記載のプリズムブロック調整装置であって、プリズムブロックを台座に固定するための固定用螺合部材をさらに備えることを特徴とする。
【００３９】
同構成によれば、プリズムブロックを台座に固定するための固定用螺合部材をさらに備える。従って、固定用螺合部材によりプリズムブロックを台座に固定することができるため、プリズムブロックを台座に固定するための接着剤を不要とすることができる。
【００４０】
請求項１７に記載の発明は、請求項１６に記載のプリズムブロック調整装置であって、固定用螺合部材が、プリズムブロックに対して螺合されるおねじであることを特徴とする。
【００４１】
同構成によれば、固定用螺合部材が、プリズムブロックに螺合されるおねじであるため、固定用螺合部材を台座に挿通してプリズムブロックに螺合することにより、プリズムブロックを台座に固定することができる。
【００４２】
請求項１８に記載の発明は、請求項１乃至請求項１７のいずれか一項に記載のプリズムブロック調整装置であって、台座は、プリズムブロックを支持する複数のプリズムブロック支持面を有し、台座に載置されるプリズムブロックは、複数のプリズムブロック支持面上に載置されることを特徴とする。
【００４３】
同構成によれば、台座に載置されるプリズムブロックは、複数のプリズムブロック支持面上に載置されるため、プリズムブロックを安定した状態で台座に載置して設けることができる。
【００４４】
請求項１９に記載の発明は、液晶プロジェクタであって、請求項１乃至請求項１８のいずれか一項に記載のプリズムブロック調整装置を備えることを特徴とする。
同構成によれば、請求項１乃至請求項１８のいずれか一項に記載のプリズムブロック調整装置を備えるため、請求項１乃至請求項１８のいずれか一項に記載の発明と同様の効果を得ることができる。
【００４５】
請求項２０に記載の発明は、請求項１９に記載の液晶プロジェクタであって、プリズムブロックから出射される光を投射して映像を表示するための投写レンズを備え、支持部材は、投写レンズを支持する部材と一体的に形成されていることを特徴とする。
【００４６】
同構成によれば、台座を支持する支持部材は、投写レンズを支持する部材と一体的に形成されているため、台座を支持する支持部材と、投写レンズを支持する部材とを、別個に形成して設けることを不要とすることができる。
【発明の効果】
【００４７】
本発明によれば、プリズムブロックの位置の調整を容易に行うことができる。
【図面の簡単な説明】
【００４８】
【図１】本発明の実施形態に係る液晶プロジェクタを示す模式図。
【図２】同実施形態に係る液晶プロジェクタの光学系及び光学経路を示す概略構成図。
【図３】同実施形態に係る液晶プロジェクタにおいて、投写レンズが設けられた支持部材に対してプリズムブロックが設けられた状態を示す斜視図。
【図４】同実施形態に係る投写レンズ及び支持部材及びプリズムブロックを示す斜視図であって、図３の分解斜視図。
【図５】同実施形態に係る液晶プロジェクタが備えるプリズムブロックを示す斜視図。
【図６】同実施形態に係る液晶プロジェクタが備える支持部材を示すとともに、プリズムブロックの位置を調整するためのプリズムブロック調整装置を示す斜視図。
【図７】同実施形態に係る液晶プロジェクタにおいて、図４で示すプリズムブロック調整装置を分解した分解斜視図。
【図８】同実施形態に係るプリズムブロック調整装置を構成する支持部材を示す平面図。
【図９】（ａ）（ｂ）同実施形態に係る液晶プロジェクタが備える支持部材の一部を示すとともに、プリズムブロック調整装置を構成する支持部材を示す斜視図。
【図１０】同実施形態に係るプリズムブロック調整装置を構成する台座を示す平面図。
【図１１】（ａ）（ｂ）同実施形態に係るプリズムブロック調整装置を構成する台座を上方から見た斜視図。
【図１２】同実施形態に係るプリズムブロック調整装置を構成する台座を示す下面図。
【図１３】（ａ）（ｂ）同実施形態に係るプリズムブロック調整装置を構成する台座を下方から見た斜視図。
【図１４】同実施形態に係るプリズムブロック調整装置を構成する板ばねを示す平面図。
【図１５】（ａ）（ｂ）同実施形態に係るプリズムブロック調整装置を構成する板ばねを示す斜視図。
【図１６】同実施形態に係る台座に板ばねが設けられた状態を示す平面図。
【図１７】同実施形態に係る台座に板ばねが設けられた状態を示す斜視図。
【図１８】同実施形態に係る支持部材に台座及び板ばねが設けられた状態を示す平面図。
【図１９】同実施形態に係る支持部材に台座及び板ばねが設けられた状態を示す下面図。
【図２０】同実施形態に係る支持部材に台座及び板ばねが設けられた状態を示す側面図。
【図２１】同実施形態に係る支持部材に台座及び板ばねが設けられた状態を示す側面図。
【図２２】同実施形態に係るプリズムブロック調整装置において、上下方向に平行な軸を中心に回転する台座を説明するための平面図。
【図２３】同実施形態に係るプリズムブロック調整装置において、上下方向に平行な軸を中心に回転する台座を説明するための平面図。
【図２４】同実施形態に係るプリズムブロック調整装置において、前後方向に平行移動する台座を説明するための平面図。
【図２５】同実施形態に係るプリズムブロック調整装置において、左右方向に平行な軸を中心に回転する台座を説明するための側面図。
【発明を実施するための形態】
【００４９】
以下、本発明の実施形態について図面を参照しながら説明する。
本発明に係る液晶プロジェクタＰは、光を投射することにより映像を投写して表示する投写型映像表示装置である。以下、映像を表示するために投射される映像の光を映像光という。
【００５０】
図１に示すように、液晶プロジェクタＰは、映像光を生成する光学エンジン１と、光学エンジン１によって生成された映像光を投射する投写レンズ３と、投写レンズ３から投射された映像光を反射する反射ミラー４とを備えている。本実施形態に係る液晶プロジェクタＰは、投写レンズ３から投射された映像光を反射ミラー４で反射させることにより、液晶プロジェクタからの距離が短いスクリーンや壁等の平面上に大きな映像を投写して表示する構成となっている。
【００５１】
図２に示すように、液晶プロジェクタＰは、光学エンジン１を構成する光学部品として、光源１１、インテグレータレンズ１２、偏光変換素子１３、集光レンズ１４、ダイクロイックミラー１５ａ，１５ｂ、反射ミラー１６ａ，１６ｂ、液晶パネル１７ａ，１７ｂ，１７ｃ、及びクロスダイクロイックプリズム１８を備えている。
【００５２】
超高圧水銀ランプ等の光源１１から出射される白色光は、インテグレータレンズ１２により光量の分布が均一化されるとともに、偏光変換素子１３により偏光方向が一方向に揃えられ、集光レンズ１４により適宜収束される。そして、光源１１により出射された白色光のうち、青色の波長の光はダイクロイックミラー１５ａで反射され、赤色及び青色の波長の光はダイクロイックミラー１５ａを透過する。また、赤色及び青色の波長の光のうち、緑色の波長の光はダイクロイックミラー１５ｂで反射され、赤色の波長の光はダイクロイックミラー１５ｂを透過する。このようにして白色光から赤色、青色、及び緑色の光が分離される。
【００５３】
青色の光は、ダイクロイックミラー１５ａ及び反射ミラー１６ａにより反射されて青色に対応する液晶パネル１７ａに導かれ、赤色の光は、反射ミラー１６ｂにより反射されて赤色に対応する液晶パネル１７ｃに導かれる。また、緑色の光は、ダイクロイックミラー１５ｂにより反射されて緑色に対応する液晶パネル１７ｂに導かれる。光の３原色である赤色、青色、及び緑色の光は、液晶パネル１７ａ，１７ｂ，１７ｃを透過する。そして、３つの液晶パネル１７ａ，１７ｂ，１７ｃを透過した光が、クロスダイクロイックプリズム１８により合成される。
【００５４】
映像光を生成するための液晶パネル１７ａ，１７ｂ，１７ｃは、液晶材料を挟むガラス基板や、液晶材料に電圧を印加するための透明電極等により構成されている。各液晶パネル１７ａ，１７ｂ，１７ｃにおける光の入射側及び出射側には、それぞれ、偏光板（不図示）が設けられている。各液晶パネル１７ａ，１７ｂ，１７ｃと、それらの光の入射側及び出射側に設けられた偏光板とにより、光の３原色に対応した３つのライトバルブが構成される。
【００５５】
クロスダイクロイックプリズム１８は、複数のプリズムを貼り合わせて形成された色合成プリズムであって、赤色及び緑色及び青色の光を合成する光学部品である。正六面体のクロスダイクロイックプリズム１８は、液晶パネル１７ａを透過した青色の光が入射する入射面１８ａと、液晶パネル１７ｂを透過した緑色の光が入射する入射面１８ｂと、液晶パネル１７ｃを透過した赤色の光が入射する入射面１８ｃと、合成された光である映像光が出射する出射面１８ｄとを有している。
【００５６】
液晶パネル１７ａ，１７ｂ，１７ｃを透過した光がクロスダイクロイックプリズム１８で合成されることにより、光学エンジン１において映像光が生成され、クロスダイクロイックプリズム１８の出射面１８ｄから出射された映像光が、投写レンズ３に入射する構成となっている。
【００５７】
なお、液晶プロジェクタＰは、上記の光学部品の他に、光源１１から出射された光を伝達するためのリレーレンズや、各液晶パネル１７ａ，１７ｂ，１７ｃにおける光の入射側及び出射側に設けられる光学補償板等を備えているが、これらの光学部品の図示は省略する。
【００５８】
各入射面１８ａ，１８ｂ，１８ｃに対応して設けられる各液晶パネル１７ａ，１７ｂ，１７ｃは、クロスダイクロイックプリズム１８に対して固定され、各液晶パネル１７ａ，１７ｂ，１７ｃがクロスダイクロイックプリズム１８と一体化されている。従って、光合成装置であるプリズムブロック２は、液晶パネル１７ａ，１７ｂ，１７ｃとクロスダイクロイックプリズム１８とを少なくとも備えており、プリズムブロック２は光学経路上に設けられている。
【００５９】
図３及び図４に示すように、プリズムブロック２は、投写レンズ３を支持する支持部材５の近くに設けられ、クロスダイクロイックプリズム１８の出射面１８ｄ（図４参照）が投写レンズ３と対向して設けられる構成となっている。以下、液晶プロジェクタＰが組み立てられた状態において、プリズムブロック２に対して投写レンズ３が設けられる方向を、前後方向における前方とする。即ち、プリズムブロック２から光が出射される方向が、前後方向の前方である。
【００６０】
支持部材５は、投写レンズ３が取り付けられる枠体５１と、枠体５１から後方へ突出させて形成された支持部材５の一部であって、プリズムブロック２を支持するための部品が設けられるプリズムブロック支持部５２とを備えている。以下、液晶プロジェクタＰが組み立てられた状態において、支持部材５のプリズムブロック支持部５２に対してプリズムブロック２が設けられる方向を、上下方向における上方とする。なお、前後方向と上下方向とは互いに直交している。
【００６１】
図４及び図５に示すように、プリズムブロック２は、各液晶パネル１７ａ，１７ｂ，１７ｃを保持する保持枠２１、保持枠２１がねじ止めされるフレーム２２、クロスダイクロイックプリズム１８に光学部品を固定する土台となるベース部材２３ａ，２３ｂ、及びフレーム２２の移動を規制するフレーム移動規制部材２４ａ，２４ｂを備えている。
【００６２】
プリズムブロック２を構成するクロスダイクロイックプリズム１８は、下側ベース部材２３ａと上側ベース部材２３ｂとにより挟まれて設けられている。下側ベース部材２３ａには下側フレーム移動規制部材２４ａが固定され、上側ベース部材２３ｂには上側フレーム移動規制部材２４ｂが固定される構成となっている。そして、ベース部材２３ａ，２３ｂに固定されたフレーム移動規制部材２４ａ，２４ｂにより、保持枠２１が半田付けされたフレーム２２の移動が規制されて、クロスダイクロイックプリズム１８に対して液晶パネル１７ａ，１７ｂ，１７ｃが固定される構成となっている。
【００６３】
図５に示すように、下側ベース部材２３ａには、下方へ突出する２つの係合凸部２５と、螺旋状の溝が形成されためねじ部２６とが設けられている。プリズムブロック２に設けられた係合凸部２５及びめねじ部２６は、本発明に係るプリズムブロック調整装置Ａにプリズムブロック２を固定するための構造である。
【００６４】
図６及び図７に示すように、プリズムブロック調整装置Ａは、プリズムブロック２の位置を調整するための機構を備えたものであり、本実施形態においては、投写レンズ３を支持する支持部材５を含んで構成されている。以下、本発明に係るプリズムブロック調整装置Ａの構成を詳しく説明する。
【００６５】
プリズムブロック調整装置Ａは、その構成部品として、プリズムブロック２が載置される台座６、台座６を支持する支持部材５、台座６を支持部材５に押さえつける弾性部材としての板ばね７、支持部材５に螺合されるおねじ部材８１，８２，８３（図７参照）、及びプリズムブロック２に螺合されるおねじ９を備えている。
【００６６】
図７及び図８に示すように、台座６が設けられる支持部材５のプリズムブロック支持部５２において、支持部材５には、台座６が間隙をもって嵌め込まれる枠部５３と、枠部５３内の下側に設けられた底部５４とが設けられている。
【００６７】
四角枠状の枠部５３は、上下方向において立った状態に設けられる枠部５３の一部として、前側壁部５３ａと右側壁部５３ｂと左側壁部５３ｃと後側壁部５３ｄとを有している。支持部材５の枠部５３には、後側壁部５３ｄを前後方向に貫通させて設けられた２つの貫通孔５５が形成されている。２つの貫通孔５５は、左右方向において間隔をあけて設けられている。なお、左右方向は、前後方向と上下方向とに直交する方向である。各貫通孔５５には、螺旋状の溝が形成されためねじ部５５ａが設けられており、めねじ部５５ａにおねじ部材８１，８２を螺合させて、貫通孔５５におねじ部材８１，８２が挿通される。このように、支持部材５の枠部５３の後側壁部５３ｄには、おねじ部材８１，８２が挿通される２つの貫通孔５５が形成されている。
【００６８】
また、枠部５３には、前側壁部５３ａ及び右側壁部５３ｂから枠部５３内に向けて突出する弾性部材係止部５６ａ，５６ｂが設けられている。前側壁部５３ａを後方へ突出させて形成された弾性部材係止部５６ａは、板ばね７と係合することにより、板ばね７の左右方向における移動及び上方への移動を規制して、支持部材５の枠部５３内において板ばね７を係止させる突起である。また、右側壁部５３ｂを左方へ突出させて形成された２つの弾性部材係止部５６ｂは、それぞれ、板ばね７と係合することにより、板ばね７の前後方向における移動及び上方への移動を規制して、支持部材５の枠部５３内において板ばね７を係止させる突起である。
【００６９】
また、図９に示すように、枠部５３の前後方向における中心付近には、右側壁部５３ｂ及び左側壁部５３ｃの一部が上方から下方へ向けて切り欠かれて形成された切り欠き５７ａと、切り欠き５７ａの下側部分から後方へ向けて切り欠かれて形成された保持部５７ｂとが設けられている。右側壁部５３ｂ及び左側壁部５３ｃに形成された切り欠き５７ａには台座６の一部が嵌め込まれ、切り欠き５７ａに嵌め込まれた台座６の一部は、切り欠き５７ａから保持部５７ｂが設けられた箇所へ移動させることができる。保持部５７ｂは、枠部５３の一部により形成される下方へ向いた保持面により構成されている。
【００７０】
支持部材５の一部として形成された枠部５３の内部には、枠部５３内に設けられる台座６や板ばね７を支持するための底部５４が支持部材５の一部として形成されている。従って、枠部５３及び底部５４を含む支持部材５は単一の部材により構成されており、支持部材５は例えばマグネシウム等の金属材料により成形されている。
【００７１】
図８及び図９等に示すように、底部５４は、上方に設けられる台座６と対向する底面５４ａと、底面５４ａの一部を窪ませて形成された台座６を支持するための支持面５４ｂとを有している。底部５４の前側には、底部５４を上下方向に貫通させて設けられた貫通孔５８が形成されている。貫通孔５８には、螺旋状の溝が形成されためねじ部５８ａが設けられており、めねじ部５８ａにおねじ部材８３を螺合させて、貫通孔５８におねじ部材８３が挿通される。このように、支持部材５の底部５４には、おねじ部材８３が挿通される貫通孔５８が形成されている。
【００７２】
また、底部５４の中心付近には、おねじ９を挿通させるために十分な大きさの挿通孔５４ｃが形成されており、底部５４を上下方向に貫通させて挿通孔５４ｃが設けられている。本実施形態においては、下方に突出する台座６の一部も挿通孔５４ｃに挿通できるように、挿通孔５４ｃは、台座６の一部の形状に対応させて形成されている。具体的には、図８に示すように、上方から見た平面視において、挿通孔５４ｃの前側が矩形状に形成され、挿通孔５４ｃの後側が円形状に形成されている。
【００７３】
また、底部５４の後側には、各貫通孔５５の近傍において開口部５９が設けられている。開口部５９は、プリズムブロック２の位置の調整に伴って動く台座６の一部が、支持部材５の底部５４と干渉しないようにするための貫通孔である。
【００７４】
図１０及び図１１に示すように、支持部材５の枠部５３に嵌められる台座６は板状に形成されており、台座６は間隙をもって支持部材５に嵌め込まれる。台座６は、プリズムブロック２に対向する上面６１と、前後方向及び左右方向を向く側面６２とを有している。台座６に対してプリズムブロック２が設けられる方向が、上下方向の上方であり、上面６１上に、プリズムブロック２が載置される。
【００７５】
側面６２は、前方に向けて設けられる正面６２ａと、右方に向けて設けられる右側面６２ｂと、左方に向けて設けられる左側面６２ｃと、後方に向けて設けられる背面６２ｄにより構成されている。正面６２ａ及び背面６２ｄは左右方向に延びており、右側面６２ｂ及び左側面６２ｃは前後方向に延びている。本実施形態においては、台座６と支持部材５との間に板ばね７が設けられるよう、左右方向の間隙を確保するために、右側面６２ｂの後側端部を除く部分は、右側面６２ｂの後側端部に比べて左方に窪んでいる。
【００７６】
プリズムブロック調整装置Ａが組み立てられた状態においては、正面６２ａは板ばね７を介して枠部５３の前側壁部５３ａと対向し、右側面６２ｂは板ばね７を介して枠部５３の右側壁部５３ｂと対向する。また、プリズムブロック調整装置Ａを組み立てた状態においては、左側面６２ｃは枠部５３の左側壁部５３ｃと対向し、背面６２ｄは枠部５３の後側壁部５３ｄと対向する。
【００７７】
台座６には、支持部材５によって支持されるとともに、左右方向において延びる円柱状の軸部６３ａ，６３ｂが設けられている。軸部６３ａは、右側面６２ｂよりも右方に、即ち、右側壁部５３ｂに向けて突出するように、台座６の一部を延ばして形成されている。また、軸部６３ｂは、左側面６２ｃよりも左方に、即ち、左側壁部５３ｃに向けて突出するように、台座６の一部を延ばして形成されている。軸部６３ａ，６３ｂは、底部５４に形成された平らな支持面５４ｂにより支持される。
【００７８】
また、台座６には、プリズムブロック２に設けられた係合凸部２５と係合する２つの係合凹部６４が設けられている。台座６を上下方向に貫通させて形成された係合凹部６４には、プリズムブロック２の係合凸部２５が挿通される構成となっている。２つの係合凹部６４は、台座６の対角線上に設けられて、前後方向及び左右方向において間隔をあけて設けられている。
【００７９】
また、台座６の中心には、台座６を上下方向に貫通させて設けられた貫通孔６５が形成されている。貫通孔６５の内周は円筒状に形成されており、貫通孔６５にはおねじ９が螺合されることなく挿通される。なお、図１０に示すように貫通孔６５の下側部分には、おねじ９の脱落を防ぐための脱落防止部６５ａが形成されている。脱落防止部６５ａは、貫通孔６５の内周を狭くして形成された貫通孔６５の一部であって、脱落防止部６５ａの径は、貫通孔６５のその他の部分に比べて小さく形成されている。
【００８０】
また、台座６の前側端部には、上方に向けて設けられる弾性部材当接面６１ａが形成されている。弾性部材当接面６１ａは、上面６１の一部を下方に窪ませて形成されている。この弾性部材当接面６１ａと正面６２ａと右側面６２ｂとに、板ばね７が当接する構成となっている。
【００８１】
また、台座６には、上面６１の一部を僅かに上方に突出させて形成された複数の平らなプリズムブロック支持面６１ｂが形成されている。本実施形態においては、プリズムブロック支持面６１ｂは、貫通孔６５の周辺と、台座６の前側端部における弾性部材当接面６１ａを挟む箇所と、台座６の後側端部に形成されている。
【００８２】
また、台座６の左側端部には、左側面６２ｃの一部を左方に突出させて形成された突出部６６が設けられている。突出部６６は、軸部６３ｂの上方において、台座６の一部を左側壁部５３ｃに向けて突出するように延ばして形成されている。
【００８３】
また、台座６の後側端部には、背面６２ｄの一部を下方に突出させて形成された膨出部６７（図１１（ｂ）参照）が設けられている。膨出部６７は、プリズムブロック調整装置Ａが組み立てられた状態において、枠部５３の貫通孔５５に挿通されたおねじ部材８１，８２と対向する位置に設けられている。
【００８４】
また、図１２及び図１３に示すように、板状の台座６は、上面６１の反対側の面である下面６８を有している。台座６には、下面６８よりも下方へ突出するとともに挿通孔５４ｃに挿通される挿通部６９が設けられている。挿通部６９は、前側が切り欠かれた円柱状に形成されており、挿通部６９には上述の貫通孔６５が形成されている。略円柱状をなす挿通部６９は、貫通孔６５が開口する開口面６９ａと、開口面６９ａよりも下方に向けて突出した外周壁６９ｂとが形成されている。
【００８５】
また、上述の軸部６３ａ，６３ｂの下側部分は、下面６８よりも下方へ突出している。従って、支持面５４ｂにおいて、支持部材５の底部５４は下面６８と接触せず、台座６を支持する支持部材５の底部５４は軸部６３ａ，６３ｂのみと接触する構成となっている。
【００８６】
以上のように軸部６３ａ，６３ｂ、係合凹部６４、突出部６６、膨出部６７、挿通部６９等を含む台座６は単一の部材により構成されており、台座６は例えばマグネシウム等の金属材料により成形されている。
【００８７】
図１４及び図１５に示すように、板ばね７には、支持部材５に当接する支持部材当接部７１として、枠部５３の前側壁部５３ａに当接する前側壁部当接部７１ａと、枠部５３の右側壁部５３ｂに当接する右側壁部当接部７１ｂとが設けられている。
【００８８】
また、板ばね７には、台座６に当接する台座当接部７２として、台座６の正面６２ａに当接する正面当接部７２ａと、台座６の右側面６２ｂに当接する右側面当接部７２ｂと、弾性部材当接面６１ａに当接する上面当接部７２ｃとが設けられている。弾性部材当接面６１ａは、台座６の上面６１の一部である。
【００８９】
支持部材当接部７１と台座当接部７２は板ばね７の一部であり、前側壁部当接部７１ａと正面当接部７２ａとは前後方向において弾性を有するように接続され、右側壁部当接部７１ｂと右側面当接部７２ｂとは左右方向において弾性を有するように接続されている。また、上面当接部７２ｃは、正面当接部７２ａから折り曲げられて形成された板ばね７の一部であり、上下方向において弾性を有している。
【００９０】
また、図１５に示すように、板ばね７には、弾性部材係止部５６ａ，５６ｂと係合するための切り欠き７３ａ，７３ｂが形成されている。前側壁部当接部７１ａの上端が切り欠かれて形成された切り欠き７３ａは、プリズムブロック調整装置Ａが組み立てられた状態において、弾性部材係止部５６ａと係合する。また、右側壁部当接部７１ｂの上端が切り欠かれて形成された切り欠き７３ｂは、プリズムブロック調整装置Ａが組み立てられた状態において、弾性部材係止部５６ｂと係合する。
【００９１】
また、板ばね７には、右側面当接部７２ｂを含む板ばね７の下端が切り欠かれて形成された切り欠き７３ｃが形成されている。この切り欠き７３ｃは、台座６の軸部６３ａと板ばね７とが干渉しないために設けられた切り欠きである。従って、プリズムブロック調整装置Ａが組み立てられた状態においては、軸部６３ａの上方に切り欠き７３ｃが形成された板ばね７が設けられる。
【００９２】
以上のように支持部材当接部７１及び台座当接部７２を含む板ばね７は、単一の部材により構成されており、板ばね７は例えばりん青銅やステンレス等の金属により形成されている。従って、本実施形態においては、互いに直交する前後方向及び上下方向及び左右方向において台座６を支持部材５に向けて押さえつける弾性部材は、単一の部材により形成されている。
【００９３】
プリズムブロック調整装置Ａが組み立てられた状態においては、板ばね７により、図１６及び図１７で示す白抜き矢印Ｘ，Ｙ，Ｚの方向に台座６を押さえつける力が発生する。なお、図１６及び図１７においては、台座６及び板ばね７を除いてプリズムブロック調整装置Ａの構成部品の図示は省略されている。
【００９４】
具体的には、板ばね７の正面当接部７２ａにより、矢印Ｘが示す方向に台座６を押さえつける力が発生して、台座６が支持部材５の後側壁部５３ｄに向けて押さえつけられる構成となっている。また、板ばね７の右側面当接部７２ｂにより、矢印Ｙが示す方向に台座６を押さえつける力が発生して、台座６が支持部材５の左側壁部５３ｃに向けて押さえつけられる構成となっている。また、板ばね７の上面当接部７２ｃにより、矢印Ｚが示す方向に台座６を押さえつける力が発生して、台座６が支持部材５の底部５４に向けて押さえつけられる構成となっている。
【００９５】
プリズムブロック調整装置Ａが組み立てられた状態の平面視を図１８乃至図２１に示す。図１８は、プリズムブロック調整装置Ａが組み立てられた状態を示す上面図であり、図１９は、プリズムブロック調整装置Ａが組み立てられた状態を示す下面図ある。また、図２０及び図２１は、プリズムブロック調整装置Ａが組み立てられた状態を示す側面図である。
【００９６】
間隙をもって支持部材５に嵌め込まれた台座６は、板ばね７に当接するとともに、支持部材５に螺合されたおねじ部材８１，８２，８３に当接する構成となっている。具体的には、台座６の上面６１及び正面６２ａ及び右側面６２ｂが、板ばね７に当接し、台座６の背面６２ｄ及び下面６８が、おねじ部材８１，８２，８３に当接する構成となっている。なお、左側面６２ｃは支持部材５に当接する。
【００９７】
台座６に当接する板ばね７は、台座６を後方及び左方及び下方に向けて押さえつけることにより、台座６を支持部材５に向けて押さえつけている。板ばね７が台座６を押さえつける力に対抗して、おねじ部材８１，８２，８３は台座６を押すことができる。
【００９８】
おねじ部材８１，８２，８３は、図２０及び図２１等に示すように、円柱状の金属成形体の外周に螺旋状の溝であるおねじ部８１ａ，８２ａ，８３ａが設けられた螺合部材である。２つのおねじ部材８１，８２は、台座６を平行移動及び回動させるための螺合部材であって、おねじ部材８３は、台座６を回動させるための回動用螺合部材である。また、おねじ部材８１，８２，８３の端部には、ねじを回す工具であるドライバー（不図示）が係合可能な溝８１ｂ，８２ｂ，８３ｂが形成されている。
【００９９】
おねじ部材８１，８２は貫通孔５５のおねじ部５５ａに螺合されて支持部材５に螺合される。このようにして螺合されて貫通孔５５に挿通されたおねじ部材８１，８２は、前後方向において台座６の背面６２ｄと対向している。従って、おねじ部材８１，８２は、支持部材５の枠部５３の後側壁部５３ｄから台座６の背面６２ｄに向けて突出することが可能である。
【０１００】
また、おねじ部材８３は、貫通孔５８のおねじ部５８ａに螺合されて支持部材５に螺合される。このようにして螺合されて貫通孔５８に挿通されたおねじ部材８３は、上下方向において台座６の下面６８と対向している。従って、おねじ部材８３は、支持部材５の底部５４から台座６の下面６８に向けて突出することが可能である。
【０１０１】
おねじ部材８１，８２，８３により押される台座６には、上述のごとくプリズムブロック２が載置される。台座６に載置されたプリズムブロック２は、おねじ９により台座６に固定される構成となっている。
【０１０２】
おねじ９は、図７等に示すように、台座６の貫通孔６５に挿通される軸９１と、軸９１よりも径が大きいねじ頭９２とを備えている。軸９１の上側先端には螺旋状の溝が形成されたおねじ部９１ａが設けられており、ねじ頭９２には工具が係合可能なソケット９２ａ（図１９参照）が形成されている。
【０１０３】
台座６にプリズムブロック２を固定する際には、プリズムブロック２の係合凸部２５を台座６の係合凹部６４に挿通させて、係合凸部２５と係合凹部６４とを係合させることにより行う。係合凸部２５を係合凹部６４に挿通させると、台座６の貫通孔６５の直上にプリズムブロック２のめねじ部２６が配置されるため、この状態でおねじ９を下方から貫通孔６５に挿通させて、おねじ９のおねじ部９１ａとめねじ部２６とを螺合させる。このようにしておねじ部９１ａとめねじ部２６とを螺合させることにより、座金９ａを介しておねじ９のねじ頭９２により台座６がプリズムブロック２に締結される。
【０１０４】
以上のように構成されたプリズムブロック調整装置Ａにおいて、位置が調整される台座６の動きを、図２２乃至図２５を参照しながら具体的に説明する。図２２乃至図２４は、おねじ部材８１，８２を用いた台座６の位置の調整を説明するための図であり、図２５は、おねじ部材８３を用いた台座６の位置の調整を説明するための図である。なお、図２２乃至図２５において、おねじ９の図示は省略する。
【０１０５】
図２２乃至図２４に示すように、板ばね７によって押さえつけられる力に抗して、おねじ部材８１，８２が台座６を前方に押すことによって、台座６の位置が調整される。即ち、おねじ部材８１，８２を回転させておねじ部材８１，８２が支持部材５の枠部５３から台座６に向けて突出する量を調整することにより、台座６の位置を調整することができる。
【０１０６】
具体的には、複数のおねじ部材８１，８２のうち、おねじ部材８１が支持部材５から台座６に向けて突出する量を調整せずに、おねじ部材８２が支持部材５から台座６に向けて突出する量を大きくすることにより、上下方向に平行な軸を中心にして、図２２中の矢印Ｄ１が示す方向に台座６を回動させることができる。
【０１０７】
また、複数のおねじ部材８１，８２のうち、おねじ部材８２が支持部材５から台座６に向けて突出する量を調整せずに、おねじ部材８１が支持部材５から台座６に向けて突出する量を大きくすることにより、上下方向に平行な軸を中心にして、図２３中の矢印Ｄ２が示す方向に台座６を回動させることができる。
【０１０８】
また、おねじ部材８１，８２が支持部材５から台座６に向けて突出する量の各々を大きくすることにより、図２４中の矢印Ｄ３が示す方向に向けて台座６を平行移動させることができる。
【０１０９】
また、図２５に示すように、板ばね７によって押さえつけられる力に抗して、おねじ部材８３が台座６を上方に押すことによっても、台座６の位置が調整される。即ち、おねじ部材８３を回転させておねじ部材８３が支持部材５の底部５４から台座６に向けて突出する量を調整することにより、図２５中の矢印Ｄ４が示す方向に台座６を回動させて、台座６の位置を調整することができる。
【０１１０】
このような台座６の位置の調整は、プリズムブロック２を台座６に載置させた状態で液晶プロジェクタＰが投写して表示する映像を参照しながら行われる。台座６の位置を調整することにより、台座６に載置されたプリズムブロック２の位置が調整され、前後方向に台座６を移動させてバックフォーカスを調整することができ、さらに、上下方向及び左右方向のあおり角度を調整することができる。即ち、上下方向及び左右方向においてプリズムブロック２から出射される光の向き（即ち、光軸方向）を調整することができる。
【０１１１】
以上のようにしてプリズムブロック２の位置を調整することができるため、プリズムブロック２の位置を調整するための接着剤は不要であり、プリズムブロック２を台座６に載置した状態で位置の調整が可能であるため、プリズムブロック２を保持するための大掛かりな装置も不要である。
【０１１２】
また、投写レンズ３と液晶パネル１７ａ，１７ｂ，１７ｃとの位置合わせを行う際に、プリズムブロック２に比べて重い投写レンズ３の位置を調整する必要がないため、投写レンズ３の重量等に起因して、光学性能が低下することを抑制することができる。
【０１１３】
また、小型かつ軽量なプリズムブロック調整装置Ａを得ることができる。プリズムブロック２を支持するプリズムブロック調整装置Ａは大きな装置ではないため、プリズムブロック２を空冷する際の冷却能力を確保することができる。
【０１１４】
本実施形態によれば、以下の作用効果を得ることができる。
（１）プリズムブロック２の位置を調整するためのプリズムブロック調整装置Ａは、台座６と、台座６を支持する支持部材５と、台座６と支持部材５との間隙に設けられて、台座６を支持部材５に向けて押さえつける板ばね７と、支持部材５から台座６に向けて突出するおねじ部材８１，８２，８３とを備えている。そして、板ばね７によって押さえつけられる力に抗して、おねじ部材８１，８２，８３が台座６を押す。このため、おねじ部材８１，８２，８３をプリズムブロック２の位置を調整する調整部材として使用することができる。即ち、おねじ部材８１，８２，８３を用いて台座６を押すことにより、台座６の位置を調整して、台座６に載置されるプリズムブロック２の位置を調整することができる。そして、プリズムブロック２が載置される台座６は、板ばね７及びおねじ部材８１，８２，８３により固定することができる。即ち、板ばね７及びおねじ部材８１，８２，８３によって台座６にはたらく力が釣り合うことにより、プリズムブロック２が載置される台座６が静止するため、台座６に載置されるプリズムブロック２が動かないように固定することができる。また、おねじ部材８１，８２，８３を回転させておねじ部材８１，８２，８３が支持部材５から台座６に向けて突出する量を調整することにより、台座６の位置を調整することができるため、プリズムブロック２の位置の調整を容易に行うことができる。
【０１１５】
（２）支持部材５には、螺合部材が挿通される貫通孔５５，５８が形成され、貫通孔５５，５８にはめねじ部５５ａ，５８ａが設けられるとともに、螺合部材は、めねじ部５５ａ，５８ａに螺合するおねじ部材８１，８２，８３である。このため、おねじ部材８１，８２，８３を、支持部材５の外部から貫通孔５５，５８に挿通させて、支持部材５から台座６に向けて突出させることができる。
【０１１６】
（３）プリズムブロック調整装置Ａは、プリズムブロック２から光が出射される方向（即ち、前方）へ台座６を押すおねじ部材８１，８２を備えている。このため、おねじ部材８１，８２が支持部材５から台座６に向けて突出する量を大きくすることにより、プリズムブロック２が載置される台座６を、前方に移動させることができる。
【０１１７】
（４）前後方向に直交する左右方向において、複数のおねじ部材８１，８２が複数設けられている。このため、複数のおねじ部材８１，８２が支持部材５から台座６に向けて突出する量の各々を大きくすることにより、プリズムブロック２が載置される台座６を、プリズムブロックから光が出射される方向（即ち、前方）に移動させることができる。また、複数のおねじ部材８１，８２のうち、所定の螺合部材が支持部材５から台座６に向けて突出する量を調整することにより、前後方向に直交する上下方向に平行な軸を中心に台座６を回動させることができる。具体的には、プリズムブロック２から光が出射される方向と、この方向に直交する左右方向とを含む平面において、台座６を回動させることができる。このため、台座６に載置されるプリズムブロック２の、左右方向のあおり角度を調整することができる。
【０１１８】
（５）台座６は、前後方向に延びる左側面６２ｃを有しており、台座６には、左側面６２ｃの一部を支持部材５に向けて突出させて形成された突出部６６が設けられ、突出部６６が左側面６２ｃと対向する支持部材５に接触する。このため、突出部６６を支点として、上下方向に平行な軸を中心に台座６を容易に回動させることができる。
【０１１９】
（６）台座６は、おねじ部材８１，８２と対向する背面６２ｄを有し、台座６には、背面６２ｄの一部であっておねじ部材８１，８２により押される部分が、背面６２ｄのその他の部分に比べて膨らんでいる膨出部６７が設けられている。このため、台座６の背面６２ｄにおいて、おねじ部材８１，８２により押される部分の面積を確保することができ、背面６２ｄのその他の部分を薄くすることにより、台座６の小型化を図ることができる。
【０１２０】
（７）支持部材５には、膨出部６７に対向する開口部５９が設けられ、開口部５９に向けて膨出部６７が膨らんでいるため、背面６２ｄの一部が膨出部６７として形成されている場合であっても、膨出部６７と支持部材５とが接触しないようにすることができる。
【０１２１】
（８）プリズムブロック調整装置Ａは、軸部６３ａ，６３ｂを支点として回動するように台座６を押すおねじ部材８３を備えている。このため、台座６の回動の中心となる軸に直交する方向（即ち、上下方向）において、台座６に載置されるプリズムブロック２から出射される光の角度を調整することができる。
【０１２２】
（９）軸部６３ａ，６３ｂは、前後方向に直交する左右方向に延びているため、おねじ部材８３が支持部材５から台座６に向けて突出する量を調整することにより、左右方向に平行な軸を中心に台座６を回動させることができる。従って、台座６に載置されるプリズムブロック２の、上下方向のあおり角度を調整することができる。
【０１２３】
（１０）支持部材５には、軸部６３ａ，６３ｂを支持する平らな支持面５４ｂが形成されており、軸部６３ａ，６３ｂは、支持面５４ｂに沿ってプリズムブロック２から光が出射される方向に摺動可能である。従って、前後方向に摺動可能な軸部６３ａ，６３ｂは、平らな支持面５４ｂにより支持されているため、前後方向に台座６を容易に移動させることができる。
【０１２４】
（１１）支持面５４ｂにおいて、台座６を支持する支持部材５は軸部６３ａ，６３ｂのみと接触するため、支持部材５と台座６との接触面積を小さくして、プリズムブロック２から光が出射される方向（即ち、前後方向）に台座６をさらに容易に移動させることができる。
【０１２５】
（１２）支持部材５は、台座６が間隙をもって嵌め込まれる枠部５３を有しており、枠部５３には、軸部６３ａ，６３ｂが嵌め込まれる切り欠き５７ａと、切り欠き５７ａに嵌め込まれた軸部６３ａ，６３ｂを保持する保持部５７ｂとが設けられている。このため、台座６の軸部６３ａ，６３ｂを支持部材５に嵌めて保持することができる。
【０１２６】
（１３）台座６と支持部材５との間隙に設けられる弾性部材は、板ばね７である。このため、台座６と支持部材５との間隙が小さな間隙であっても、台座６を支持部材５に向けて押さえつける弾性部材を容易に設けることができる。
【０１２７】
（１４）板ばね７は、互いに直交する３方向（即ち、前後方向及び上下方向及び左右方向）において台座６を支持部材５に向けて押さえつける単一の部材により形成されている。このため、３方向において台座６を押さえつける弾性部材が単一の部材であるため、各方向に台座を押さえつける複数の弾性部材を備える場合に比べて、弾性部材の部品点数を少なくすることができる。
【０１２８】
（１５）台座６には、上面６１に平行な方向へのプリズムブロック２の移動を規制するために、プリズムブロック２の一部（即ち、係合凸部２５）と係合する係合凹部６４が設けられているため、台座６に載置されたプリズムブロック２の移動を規制することができる。従って、プリズムブロック２を台座６に仮固定することができる。
【０１２９】
（１６）プリズムブロック調整装置Ａは、プリズムブロック２を台座６に固定するためのおねじ９を備えている。従って、おねじ９によりプリズムブロック２を台座６に固定することができるため、プリズムブロック２を台座６に固定するための接着剤を不要とすることができる。
【０１３０】
（１７）プリズムブロック２を台座６に固定するための固定用螺合部材が、プリズムブロック２に対して螺合されるおねじ９である。従って、おねじ９を台座６に挿通してプリズムブロック２に螺合することにより、プリズムブロック２を台座６に固定することができる。
【０１３１】
（１８）台座６は、プリズムブロック２を支持する複数の（即ち、３つの）プリズムブロック支持面６１ｂを有し、台座６に載置されるプリズムブロック２は、３つのプリズムブロック支持面６１ｂ上に載置される。このため、プリズムブロック２を安定した状態で台座６に載置して設けることができる。
【０１３２】
（１９）液晶プロジェクタＰは、プリズムブロック調整装置Ａと、プリズムブロック２から出射される光を投射して映像を表示するための投写レンズ３を備え、支持部材５は、投写レンズ３を支持する部材（即ち、枠体５１）と一体的に形成されている。このため、台座６を支持する支持部材５と、投写レンズ３を支持する部材とを、別個に形成して設けることを不要とすることができる。
【０１３３】
なお、本発明は、上記実施形態に限定されるものではなく、本発明の趣旨に基づいて種々の設計変更をすることが可能であり、それらを本発明の範囲から除外するものではない。例えば、上記実施形態を以下のように変更してもよく、以下の変更を組み合わせて実施してもよい。
【０１３４】
・プリズムブロック調整装置Ａを構成する部品の材料や形状を、上記作用効果を奏することができる範囲で変更してもよい。例えば、プリズムブロック調整装置Ａの構成部品が、左右方向において反転した形状であってもよい。
【０１３５】
・単一の部材により形成されていた部品を、別個に形成してもよい。例えば、投写レンズ３を支持する枠体５１と、台座６が嵌め込まれる枠部５３を有する部材とを別体により構成してもよい。
【０１３６】
・支持部材５へのおねじ部材８１，８２，８３の螺合を強固にするために、台座６の位置の調整後に、接着剤によりおねじ部８１ａ，８２ａ，８３ａを固定してもよい。同様に、プリズムブロック２へのおねじ９の螺合を強固にするために、接着剤によりおねじ９を固定してもよい。
【符号の説明】
【０１３７】
Ｐ…液晶プロジェクタ、Ａ…プリズムブロック調整装置、１…光学エンジン、２…プリズムブロック、３…投写レンズ、４…反射ミラー、５…支持部材、６…台座、７…板ばね（弾性部材）、９…おねじ（固定用螺合部材）、９ａ…座金、１１…光源、１２…インテグレータレンズ、１３…偏光変換素子、１４…集光レンズ、１５ａ，１５ｂ…ダイクロイックミラー、１６ａ，１６ｂ…反射ミラー、１７ａ，１７ｂ，１７ｃ…液晶パネル、１８…クロスダイクロイックプリズム、１８ａ，１８ｂ，１８ｃ…入射面、１８ｄ…出射面、２１…保持枠、２２…フレーム、２３ａ…下側ベース部材、２３ｂ…上側ベース部材、２４ａ…下側フレーム移動規制部材、２４ｂ…上側フレーム移動規制部材、２５…係合凸部（係合部）、２６…めねじ部、５１…枠体、５２…プリズムブロック支持部、５３…枠部、５３ａ…前側壁部、５３ｂ…右側壁部、５３ｃ…左側壁部、５３ｄ…後側壁部、５４…底部、５４ａ…底面、５４ｂ…支持面、５４ｃ…挿通孔、５５…貫通孔、５５ａ…めねじ部、５６ａ，５６ｂ…弾性部材係止部、５７ａ…切り欠き、５７ｂ…保持部、５８…貫通孔、５８ａ…めねじ部、５９…開口部、６１…上面、６１ａ…弾性部材当接面、６１ｂ…プリズムブロック支持面、６２…側面、６２ａ…正面（弾性部材当接面）、６２ｂ…右側面（弾性部材当接面）、６２ｃ…左側面、６２ｄ…背面（螺合部材当接面）、６３ａ，６３ｂ…軸部、６４…係合凹部（係合部）、６５…貫通孔、６５ａ…脱落防止部、６６…突出部、６７…膨出部、６８…下面（螺合部材当接面）、６９…挿通部、６９ａ…開口面、６９ｂ…外周壁、７１…支持部材当接部、７１ａ…前側壁部当接部、７１ｂ…右側壁部当接部、７２…台座当接部、７２ａ…正面当接部、７２ｂ…右側面当接部、７２ｃ…上面当接部、７３ａ，７３ｂ，７３ｃ…切り欠き、８１，８２…おねじ部材（螺合部材）、８３…おねじ部材（台座回動用螺合部材）、８１ａ，８２ａ，８３ａ…おねじ部、８１ｂ，８２ｂ，８３ｂ…溝、９１…軸、９１ａ…おねじ部、９２…ねじ頭、９２ａ…ソケット。
【図１】
2011017870.tif 000003
【図２】
2011017870.tif 000004
【図３】
2011017870.tif 000005
【図４】
2011017870.tif 000006
【図５】
2011017870.tif 000007
【図６】
2011017870.tif 000008
【図７】
2011017870.tif 000009
【図８】
2011017870.tif 000010
【図９】
2011017870.tif 000011
【図１０】
2011017870.tif 000012
【図１１】
2011017870.tif 000013
【図１２】
2011017870.tif 000014
【図１３】
2011017870.tif 000015
【図１４】
2011017870.tif 000016
【図１５】
2011017870.tif 000017
【図１６】
2011017870.tif 000018
【図１７】
2011017870.tif 000019
【図１８】
2011017870.tif 000020
【図１９】
2011017870.tif 000021
【図２０】
2011017870.tif 000022
【図２１】
2011017870.tif 000023
【図２２】
2011017870.tif 000024
【図２３】
2011017870.tif 000025
【図２４】
2011017870.tif 000026
【図２５】
2011017870.tif 000027